(57)【要約】  【課題】鎖錠端子部とこれに接続される部材の各形状を簡易化し、部品加工性を向上させる。  【解決手段】鎖錠端子部６と接点部Ａ７とをかしめ固定で機械的に接続することによりそれら鎖錠端子部６と接点部Ａ７とを電気的に接続した。鎖錠端子部６は、断面コ字状で内部に電線の導体線が挿入される端子部６ａと、この端子部６ａの一端からその他端の角部（基部）側に延設され端子部６ａに挿入された導体線を端子部６ａの他端に弾接させた状態でその導体線を係止する鎖錠部６ｂとを一体に有する。接点部Ａ７の一端は、端子部６ａの中央（中央部６０ａ）外面でかしめ固定により機械的に接続される。【選択図】図１
2005216559.tif 000002
【特許請求の範囲】
【請求項１】
鎖錠機構を含む鎖錠端子部と、この鎖錠端子部に電気的に接続される接点部とを、複数組みにして少なくとも一組収納し、外部からの操作に応じて同一組み内の各接点部間を電気的に接続ないし遮断することにより、外部から同一組み内の各鎖錠端子部に接続された各電線を電気的に接続ないし遮断するスイッチとしての配線器具であって、
前記鎖錠端子部と前記接点部とをかしめ固定で機械的に接続することによりそれら鎖錠端子部と接点部とを電気的に接続することを特徴とする配線器具。
【請求項２】
前記鎖錠端子部は、断面コ字状で内部に前記電線の導体線が挿入される端子部と、この端子部の一端からその他端の角部側に延設され前記端子部に挿入された導体線を前記端子部の他端に弾接させた状態でその導体線を係止する鎖錠部とを一体に有し、
前記接点部の一端が前記端子部の中央外面でかしめ固定により機械的に接続されることを特徴とする請求項１記載の配線器具。
【請求項３】
鎖錠機構を含む鎖錠端子部と、この鎖錠端子部に電気的に接続される刃受部とを、複数組みにして少なくとも一組収納し、外部から同一組み内の各鎖錠端子部に接続された各電線と外部から同一組み内の各刃受部に挿入接続されたプラグの各端子とをそれぞれ電気的に接続するコンセントとしての配線器具であって、
前記鎖錠端子部と前記刃受部とをかしめ固定で機械的に接続することによりそれら鎖錠端子部と刃受部とを電気的に接続することを特徴とする配線器具。
【請求項４】
前記鎖錠端子部は、断面コ字状で内部に前記電線の導体線が挿入される端子部と、この端子部の一端からその他端の角部側に延設され前記端子部に挿入された導体線を前記端子部の他端に弾接させた状態でその導体線を係止する鎖錠部とを一体に有し、
前記刃受部は、前記端子部の一端側でかしめ固定により機械的に接続されることを特徴とする請求項３記載の配線器具。
【発明の詳細な説明】
【技術分野】
【０００１】
本発明は、例えば壁面に埋設される配線器具に関するものである。
【背景技術】
【０００２】
従来、スイッチやコンセントなどの配線器具が各種市販されている。スイッチとしての配線器具は、一般的に、鎖錠機構としての鎖状ばねを含む鎖錠端子部と、この鎖錠端子部に電気的に接続される接点部とを、複数組みにして少なくとも一組収納し、外部からの操作に応じて同一組み内の各接点部間を電気的に接続ないし遮断することにより、外部から同一組み内の各鎖錠端子部に接続された各電線を電気的に接続ないし遮断するように構成される（特許文献１等参照）。
【０００３】
上記従来のスイッチでは、図１０に示すように、鎖錠端子部６と接点部Ａ７とが一体になった部品が使用されている。なお、図１０中のＳは、鎖錠端子部６に含まれる別体の鎖状ばねである。
【０００４】
コンセントとしての配線器具は、一般的に、鎖錠機構としての鎖状ばねを含む鎖錠端子部と、この鎖錠端子部に電気的に接続される刃受部とを、複数組みにして少なくとも一組収納し、外部から同一組み内の各鎖錠端子部に接続された各電線と外部から同一組み内の各刃受部に挿入接続されたプラグの各端子とをそれぞれ電気的に接続するように構成される（例えば特許文献２等参照）。
【０００５】
上記従来のコンセントでは、図１１，図１２に示すように、鎖錠端子部６と刃受部Ｂ７とが一体になった部品が使用されている。
【特許文献１】特開２００１−３２５８４６号公報
【特許文献２】特開平７−１０６０３０号公報
【発明の開示】
【発明が解決しようとする課題】
【０００６】
しかしながら、上記従来の配線器具では、鎖錠端子部とこれに接続される部材（接点部または刃受部）とが一体に形成されるため、部品形状が勢い複雑となり、部品加工性が悪くなるという課題があった。
【０００７】
本発明は、上記事情に鑑みてなされたものであり、鎖錠端子部とこれに接続される部材の各形状を簡易化することができ、部品加工性を向上させることができる配線器具を提供することを目的とする。
【課題を解決するための手段】
【０００８】
上記課題を解決するための請求項１記載の発明は、鎖錠機構を含む鎖錠端子部と、この鎖錠端子部に電気的に接続される接点部とを、複数組みにして少なくとも一組収納し、外部からの操作に応じて同一組み内の各接点部間を電気的に接続ないし遮断することにより、外部から同一組み内の各鎖錠端子部に接続された各電線を電気的に接続ないし遮断するスイッチとしての配線器具であって、前記鎖錠端子部と前記接点部とをかしめ固定で機械的に接続することによりそれら鎖錠端子部と接点部とを電気的に接続することを特徴とする。
【０００９】
この構成では、鎖錠端子部と接点部とが別部品となるので、それら鎖錠端子部とこれに接続される部材（接点部）の各形状を簡易化することができ、部品加工性を向上させることができる。
【００１０】
請求項２記載の発明は、請求項１記載の配線器具において、前記鎖錠端子部は、断面コ字状で内部に前記電線の導体線が挿入される端子部と、この端子部の一端からその他端の角部側に延設され前記端子部に挿入された導体線を前記端子部の他端に弾接させた状態でその導体線を係止する鎖錠部とを一体に有し、前記接点部の一端が前記端子部の中央外面でかしめ固定により機械的に接続されることを特徴とする。この構成では、接点部の一端を例えば端子部の一端側でかしめ固定により機械的に接続する場合に比べ、接点部自体がかしめ加工の邪魔になることを防止することができるとともに、かしめ固定の箇所に対して鎖錠部の動きの影響を与え難くすることができる。
【００１１】
請求項３記載の発明は、鎖錠機構を含む鎖錠端子部と、この鎖錠端子部に電気的に接続される刃受部とを、複数組みにして少なくとも一組収納し、外部から同一組み内の各鎖錠端子部に接続された各電線と外部から同一組み内の各刃受部に挿入接続されたプラグの各端子とをそれぞれ電気的に接続するコンセントとしての配線器具であって、前記鎖錠端子部と前記刃受部とをかしめ固定で機械的に接続することによりそれら鎖錠端子部と刃受部とを電気的に接続することを特徴とする。
【００１２】
この構成では、鎖錠端子部と刃受部とが別部品となるので、それら鎖錠端子部とこれに接続される部材（刃受部）の各形状を簡易化することができ、部品加工性を向上させることができる。
【００１３】
請求項４記載の発明は、請求項３記載の配線器具において、前記鎖錠端子部は、断面コ字状で内部に前記電線の導体線が挿入される端子部と、この端子部の一端からその他端の角部側に延設され前記端子部に挿入された導体線を前記端子部の他端に弾接させた状態でその導体線を係止する鎖錠部とを一体に有し、前記刃受部は、前記端子部の一端側でかしめ固定により機械的に接続されることを特徴とする。この構成では、刃受部を端子部の中央側でかしめ固定により機械的に接続する場合に比べ、刃受部に対するプラグの端子の挿抜繰り返しによりかしめが緩くなることを防止することができる。
【発明の効果】
【００１４】
本発明によれば、鎖錠端子部とこれに接続される部材の各形状を簡易化することができ、部品加工性を向上させることができる。
【発明を実施するための最良の形態】
【００１５】
（実施形態１）
図１は本発明による実施形態１の配線器具における鎖錠端子部および接点部の分解斜視図、図２は同鎖錠端子部および接点部の組立斜視図、図３は同鎖錠端子部および接点部を収納する配線器具の一例を示す分解斜視図である。
【００１６】
実施形態１の配線器具は、スイッチであり、図３に示すように、ボディＡ１およびカバーＡ２により構成されるハウジングと、このハウジング（カバーＡ２）の前面に着脱自在に取り付けられる化粧プレートＡ３と、操作ハンドルＡ４０、反転ハンドルＡ４１およびコイルスプリングＡ４２により構成される操作部Ａ４とを備え、上記ハウジング内に、解除レバー５と、鎖錠機構を含む鎖錠端子部６と、この鎖錠端子部６に電気的に接続される接点部Ａ７とを、複数組みにして少なくとも一組収納するとともに、開閉部材８を収納し、外部からの操作部Ａ４（操作ハンドルＡ４０）に対する操作による開閉部材８の揺動に応じて、同一組み内の各接点部Ａ７間を電気的に接続ないし遮断することにより、外部から同一組み内の各鎖錠端子部６に接続された各電線を電気的に接続ないし遮断する構成になっている。
【００１７】
ボディＡ１は、例えば樹脂により、左右方向を長手方向とする矩形状の開口Ａ１０を前面に有する箱状に形成されている。ボディＡ１の内部には、解除レバー５および鎖錠端子部６（６０），６（６０）と解除レバー５および鎖錠端子部６（６１）とをそれぞれ収納するための収納室Ａ１１と収納室Ａ１２とを、それぞれ左右両側に設けるとともに、各接点部Ａ７の先端側および開閉部材８を収納するための収納室Ａ１３を中央に設ける隔壁Ａ１ａ，Ａ１ｂが形成されている。そして、ボディＡ１の収納室Ａ１１の底部には、鎖錠端子部６（６０），６（６０）に対して、外部から電線の導体線を挿入して接続するための電線挿入孔（図示せず）が一対穿設されている一方、ボディＡ１の収納室Ａ１２の底部にも、鎖錠端子部６（６１）に対して、外部から電線の導体線を挿入して接続するための電線挿入孔（図示せず）が一対穿設されている。なお、Ａ１ｃ，Ａ１ｄは、当該ボディＡ１を、いわゆる取付枠を兼ねるカバーＡ２に着脱自在に取り付けるための係合部であり、各係合部Ａ１ｃは前方および左方に突出する係合突部になっており、各係合部Ａ１ｄは係合爪部となっている。
【００１８】
カバーＡ２は、例えば樹脂により、上下方向を長手方向とする矩形板状に形成されている。カバーＡ２の中央には、上下方向を長手方向とする矩形凹部Ａ２ａが形成され、この矩形凹部Ａ２ａ内には、突片Ａ２ｂ，Ａ２ｃが上下に３組併設されているほか、各組みの突片Ａ２ｂ，Ａ２ｃ間に挿通孔Ａ２０が穿設されている。各組みの突片Ａ２ｂ，Ａ２ｃには、反転ハンドルＡ４１を着脱自在に装着するための保持孔Ａ２０ｂ，Ａ２０ｃが形成され、反転ハンドルＡ４１の一部（後述の収納部Ａ４１ｂ）が挿通孔Ａ２０に挿通されるようになっている。なお、Ａ２ｄは、化粧プレートＡ３を当該カバーＡ２の前面に着脱自在に取り付けるための被掛止部である。また、Ａ２１は、取付ねじ挿通用の挿通孔である。
【００１９】
化粧プレートＡ３は、例えば樹脂により、カバーＡ２の外周部（いわゆる取付枠に相当する部分）に対応する枠状に形成され、四隅後方の各々にカバーＡ２の被掛止部Ａ２ｄに掛止する掛止部（図示せず）を有している。
【００２０】
操作ハンドルＡ４０は、例えば樹脂により、化粧プレートＡ３の枠内を閉塞する矩形板状に形成され、反転ハンドルＡ４１の前面に着脱自在に取着されるようになっている。
【００２１】
反転ハンドルＡ４１は、カバーＡ２の矩形凹部Ａ２ａ内に入る大きさの矩形状の基部Ａ４１ａと、この下面から下方に延設されコイルスプリングＡ４２を収納する有底筒状の収納部Ａ４１ｂと、基部Ａ４１ａの前面における左右方向に沿う一方の縁部（図では上側の縁部）から前方に延設されるとともに基部Ａ４１ａと併設される形で設けられ、左右方向が矩形凹部Ａ２ａよりも長い寸法に設定される揺動規制部Ａ４１ｃとを、例えば樹脂により一体に有する形状に形成されている。また、上下方向と直交する基部Ａ４１ａの各側部中央には、カバーＡ２の突片Ａ２ｂ，Ａ２ｃの保持孔Ａ２０ｂ，Ａ２０ｃに填り込む突状の揺動支点部Ａ４１０ａが一対形成されている。
【００２２】
ここで、ボディＡ１は、係合部Ａ１ｃ，Ａ１ｄがカバーＡ２の後面側の図示しない係合部と係合することにより、着脱自在にカバーＡ２の後面に取着される。例えば、各係合部Ａ１ｃが、カバーＡ２の後面側に形成された孔ないし凹所に凹凸嵌合し、各係合部Ａ１ｄが、カバーＡ２の後面側に形成された係止部と互いに係止し合うことにより、カバーＡ２の後面に取着される。また、反転ハンドルＡ４１は、自己の各揺動支点部Ａ４１０ａがカバーＡ２の突片Ａ２ｂ，Ａ２ｃの保持孔Ａ２０ｂ，Ａ２０ｃに填り込むことにより、揺動自在にカバーＡ２に保持される。化粧プレートＡ３は、自己の各掛止部がカバーＡ２の各被掛止部Ａ２ｄに掛止することにより、着脱自在にカバーＡ２の前面に取着される。
【００２３】
解除レバー５は、例えば樹脂により、従来と同様に図のような形状に形成され、外部からの電線の導体線に対する鎖錠端子部６の係止状態を、外部からの操作に応じて解除するためのものである。
【００２４】
鎖錠端子部６は、導電材により構成され、図３の例では、鎖錠端子部６０と鎖錠端子部６１の２種類使用されている。前者の鎖錠端子部６０は、図１，図２に示すように、中央部６０ａおよびこの両端から後方に屈曲する両端部６１ａ，６２ａからなり内部に電線の導体線（図示せず）が挿入される断面コ字状の端子部６ａと、この端子部６ａの一端となる端部６１ａの先端からその他端となる端部６２ａの角部（基部）側に延設され端子部６ａに挿入された導体線を端子部６ａの端部６２ａ内面に弾接させた状態でその導体線を係止する鎖錠部６ｂとを一体に有する形状になっている。また、中央部６０ａの外面には、ダボ６００ａ，６０１ａが突設されている。後者の鎖錠端子部６１は、図３に示すように、端子部６ａおよび鎖錠部６ｂを２組み一体に有する形状に形成される（後述の図４，図６中の６１参照）。ただし、鎖錠端子部６１では、ダボ６００ａが一対設けられることにより、接点部Ａ７の回動を防止することができるので、ダボ６０１ａの方は廃止されている。
【００２５】
接点部Ａ７は、導電材により構成され、図３の例では、接点部Ａ７０、接点部Ａ７１および接点部Ａ７２の３種類使用されている。接点部Ａ７０は、図１，図２に示すように、ダボ孔Ａ７００ａ，Ａ７０１ａが穿設された基部Ａ７０ａと、この基部Ａ７０ａから右後方（図１，図２では右下方）に傾斜する傾斜部Ａ７０ｂと、この傾斜部Ａ７０ｂから後方（下方）に屈曲して下方（左方）に伸び固定接点Ａ７００ｃを保持する接点保持部Ａ７０ｃとを一体に有する形状に形成されている。そして、接点部Ａ７０は、基部Ａ７０ａのダボ孔Ａ７００ａ，Ａ７０１ａが、互いに併設される鎖錠端子部６０，６０のうち上方（図１，図２では右方）の鎖錠端子部６０のダボ６００ａ，６０１ａとそれぞれダボかしめ固定で機械的に接続されることにより、上方（右方）の鎖錠端子部６０と電気的に接続される。
【００２６】
接点部Ａ７１は、ダボ孔Ａ７１０ａ，Ａ７１１ａが穿設された基部Ａ７１ａと、この基部Ａ７０ａから後方（図１，図２では下方）に屈曲してさらに右方に屈曲する断面Ｌ字状の屈曲部Ａ７１ｂと、この屈曲部Ａ７１ｂの先端から前方（上方）に屈曲して上方に伸び上記固定接点Ａ７００ｃと対向配置される固定接点Ａ７１０ｃ（図３参照）を保持する接点保持部Ａ７１ｃとを一体に有する形状に形成されている。そして、接点部Ａ７１は、基部Ａ７１ａのダボ孔Ａ７１０ａ，Ａ７１１ａが、下方（図１，図２では左方）の鎖錠端子部６０のダボ６００ａ，６０１ａとそれぞれダボかしめ固定で機械的に接続されることにより、下方（左方）の鎖錠端子部６０と電気的に接続される。
【００２７】
接点部Ａ７２は、図３に示すように、ダボ孔が穿設された基部Ａ７２ａと、この基部Ａ７２ａから後方に屈曲してさらに左方に屈曲し先端部前面側で上記開閉部材８を揺動自在に支持する接点支持部Ａ７２ｂとを一体に有する形状に形成されている。そして、接点部Ａ７２は、基部Ａ７２ａのダボ孔が鎖錠端子部６１のダボとそれぞれダボかしめ固定で機械的に接続されることにより、鎖錠端子部６１と電気的に接続される。
【００２８】
開閉部材８は、導電材により板状に形成され、上記固定接点Ａ７００ｃ，Ａ７１０ｃに対して、交互に接離する可動接点８ａを一対有している。
【００２９】
上記構成の配線器具では、開閉部材８の一端が接点部Ａ７２の接点支持部Ａ７２ｂで支持されるとともに、開閉部材８の他端が反転ハンドルＡ４１の収納部Ａ４１ｂに収納されたコイルスプリングＡ４２で嵌合保持されるので、操作ハンドルＡ４０の揺動操作をすることにより、開閉部材８の可動接点８ａが、接点部Ａ７０の固定接点Ａ７００ｃおよび接点部Ａ７１の固定接点Ａ７００ｃに対して交互に接離することになる。このとき、開閉部材８の可動接点８ａが左方に揺動すれば接点部Ａ７０の固定接点Ａ７００ｃに接触するので、ボディＡ１の収納室Ａ１１の底部に穿設された電線挿入孔から挿通され上方の鎖錠端子部６０に接続された電線と、ボディＡ１の収納室Ａ１２の底部に穿設された電線挿入孔から挿通され鎖錠端子部６１に接続された電線とが電気的に接続されることになる。これとは逆に、開閉部材８の可動接点８ａが右方に揺動すれば接点部Ａ７１の固定接点Ａ７１０ｃに接触するので、ボディＡ１の収納室Ａ１１の底部に穿設された電線挿入孔から挿通され下方の鎖錠端子部６０に接続された電線と、ボディＡ１の収納室Ａ１２の底部に穿設された電線挿入孔から挿通され鎖錠端子部６１に接続された電線とが電気的に接続されることになる。
【００３０】
以上、実施形態１によれば、鎖錠端子部６と接点部Ａ７とが別部品となるので、それら鎖錠端子部６とこれに接続される部材（接点部Ａ７）の各形状を簡易化することができ、部品加工性を向上させることができる。
【００３１】
また、鎖錠端子部６は、断面コ字状で内部に電線の導体線が挿入される端子部６ａと、この端子部６ａの一端からその他端の角部側に延設され端子部６ａに挿入された導体線を端子部６ａの他端に弾接させた状態でその導体線を係止する鎖錠部６ｂとを一体に有し、接点部Ａ７の一端となる基部（Ａ７０ａ，Ａ７１ａ，Ａ７２ａ）が端子部６ａの中央外面でダボかしめ固定により機械的に接続されるので、接点部の一端を例えば端子部の一端となる端部６１ａの外面でダボかしめ固定により機械的に接続する場合に比べ、接点部Ａ７自体がダボかしめ加工の邪魔になることを防止することができるとともに、ダボかしめ固定の箇所に対して鎖錠部６ｂの動きの影響を与え難くすることができる。
【００３２】
なお、実施形態１では、接点部Ａ７の一端が端子部６ａの中央外面でダボかしめ固定により機械的に接続される構成になっているが、ダボかしめ固定に限らず、リベットかしめ固定などでもよい。
【００３３】
（実施形態２）
図４，図５は本発明による実施形態２の配線器具における鎖錠端子部および刃受部の分解斜視図、図６，図７は同鎖錠端子部および刃受部の組立斜視図、図８は同鎖錠端子部および刃受部を収納する配線器具の一例を示す分解斜視図である。
【００３４】
実施形態２の配線器具は、コンセントであり、図８に示すように、ボディＢ１およびカバーＢ２により構成されるハウジングと、プレートボディ１０と、この前面に着脱自在に取り付けられる化粧プレートＢ３と、例えば樹脂製の扉Ｂ４０，Ｂ４１およびコイルスプリングＢ４２，Ｂ４２により構成される挿入孔開閉部Ｂ４とを備え、上記ハウジング内に、実施形態１と同様の解除レバー５と、鎖錠機構を含む鎖錠端子部６と、この鎖錠端子部６に電気的に接続される刃受部Ｂ７とを、複数組みにして少なくとも一組収納し、外部から同一組み内の各鎖錠端子部６に接続された各電線と外部から同一組み内の各刃受部Ｂ７に挿入接続されたプラグの各端子とをそれぞれ電気的に接続する構成になっている。
【００３５】
ボディＢ１は、例えば樹脂により、上下方向を長手方向とする矩形状の開口Ｂ１０を前面に有する箱状に形成されている。ボディＢ１の内部には、解除レバー５、鎖錠端子部６（６２）および刃受部Ｂ７（Ｂ７２），Ｂ７（Ｂ７３）と、解除レバー５、鎖錠端子部６（６２）および刃受部Ｂ７（Ｂ７２），Ｂ７（Ｂ７４）とをそれぞれ収納するための収納室Ｂ１１と収納室Ｂ１２とを、それぞれ左右両側に設けるとともに、解除レバー５、鎖錠端子部６（６１）および刃受部Ｂ７（Ｂ７１）を収納するための収納室Ｂ１３を中央に設ける隔壁Ｂ１ａ，Ｂ１ｂ，Ｂ１ｃが形成されている。そして、ボディＢ１の収納室Ｂ１１の底部中央には、鎖錠端子部６（６２）に対して、外部から電線の導体線を挿入して接続するための電線挿入孔（図示せず）が一対穿設されている一方、ボディＢ１の収納室Ｂ１２の底部中央にも、鎖錠端子部６（６２）に対して、外部から電線の導体線を挿入して接続するための電線挿入孔（図示せず）が一対穿設されている。さらに、ボディＢ１の収納室Ｂ１３の底部にも、鎖錠端子部６（６１）に対して、外部から電線の導体線を挿入して接続するための電線挿入孔（図示せず）が一対穿設されている。なお、Ｂ１ｅは、当該ボディＢ１にカバーＢ２を着脱自在に取り付けるための、嵌合孔Ｂ１０ｅの穿設された係合部である。
【００３６】
カバーＢ２は、例えば樹脂により、ボディＢ１の開口Ｂ１０を閉塞する箱状に形成されている。カバーＢ２の前面上部には、図示しないプラグの一対の端子を挿通するための半円孤状の端子挿通孔Ｂ２０が一対穿設されている一方、カバーＢ２の前面下部には、図示しない接地極付きのプラグの３つの端子をそれぞれ挿通するための矩形状の端子挿通孔Ｂ２１，Ｂ２２，Ｂ２２が穿設されている。なお、Ｂ２ｄは、ボディＢ１の係合部Ｂ１ｅの嵌合孔Ｂ１０ｅと凹凸嵌合することにより、当該カバーＢ２をボディＢ１に着脱自在に取り付けるための掛止突部である。
【００３７】
プレートボディ１０は、例えば樹脂により、実施形態１のカバーＡ２の周部と同形状の枠状に形成され、内部にボディＢ１を着脱自在に装着するようになっている。なお、１０ｄは、化粧プレートＢ３を当該プレートボディ１０の前面に着脱自在に取り付けるための被掛止部である。また、１００は、取付ねじ挿通用の挿通孔である。
【００３８】
化粧プレートＢ３は、例えば樹脂により、プレートボディ１０に対応する枠状に形成され、内部にカバーＢ２を収納した状態で、プレートボディ１０の被掛止部１０ｄに掛止する掛止部（図示せず）を四隅後方の各々に有している。
【００３９】
扉Ｂ４０は、カバーＢ２の背面側に設けられ、コイルスプリングＢ４２で付勢されてカバーＢ２の端子挿通孔Ｂ２０，Ｂ２０を開閉自在に閉塞するものである。扉Ｂ４１は、カバーＢ２の背面側に設けられ、コイルスプリングＢ４２で付勢されてカバーＢ２の端子挿通孔Ｂ２１，Ｂ２２，Ｂ２２を開閉自在に閉塞するものである。
【００４０】
ここで、カバーＢ２は、各掛止突部Ｂ２ｄがボディＢ１の各係合部Ｂ１ｅの嵌合孔Ｂ１０ｅに凹凸嵌合することにより、着脱自在にボディＢ１の前面に取着される。また、これらカバーＢ２およびボディＢ１は、プレートボディ１０の枠内に着脱自在に装着される。そして、化粧プレートＢ３は、自己の各掛止部がプレートボディ１０の各被掛止部１０ｄに掛止することにより、着脱自在にプレートボディ１０の前面に取着される。
【００４１】
鎖錠端子部６は、導電材により構成され、図４〜図８の例では、実施形態１と同様の鎖錠端子部６１とこれとは異なる鎖錠端子部６２の２種類使用されている。鎖錠端子部６２は、鎖錠端子部６１との相違点として、図５，図７に示すように、一対の端部６１ａ，６１ａの両側にそれぞれ取付片６ｃ，６ｃが面一で延設されており、各取付片６ｃには、リベットＲの足部などを挿通するための挿通孔６０ｃが一対穿設されている。
【００４２】
刃受部Ｂ７は、導電材により構成され、図４〜図８の例では、刃受部Ｂ７１、刃受部Ｂ７２、刃受部Ｂ７３および刃受部Ｂ７４の４種類使用されている。刃受部Ｂ７１は、図４，図６に示すように、基部Ｂ７１ａと、受部Ｂ７１ｂとを一体に有する形状に形成されている。基部Ｂ７１ａは、ダボ孔Ｂ７１０，Ｂ７１０が穿設された中央部Ｂ７１０ａと、この両端から前方（図４，図６では上方）に屈曲する両端部Ｂ７１１ａ，Ｂ７１１ａとを一体に有する形状になっている。受部Ｂ７１ｂは、基部Ｂ７１ａの中央部Ｂ７１０ａから一の側方に延設される中央部Ｂ７１０ｂと、この両端から前方に屈曲し中央の一部が湾曲して互いに近接する一対の刃受片Ｂ７１１ｂ，Ｂ７１１ｂとを一体に有する形状になっている。そして、刃受部Ｂ７１は、中央部Ｂ７１０ａのダボ孔Ｂ７１０，Ｂ７１０が鎖錠端子部６１のダボ６００ａ，６００ａとそれぞれダボかしめ固定で機械的に接続されることにより、鎖錠端子部６１と電気的に接続される。
【００４３】
刃受部Ｂ７２は、図５，図７に示すように、基部Ｂ７２ａと、取付片Ｂ７２ｂ，Ｂ７２ｂと、刃受片Ｂ７２ｃ，Ｂ７２ｄ，Ｂ７２ｄとを一体に有する形状に形成されている。基部Ｂ７２ａは、中央部Ｂ７２０ａと、この両端から一方に屈曲する両端部Ｂ７２１ａ，Ｂ７２１ａとを一体に有する形状になっている。取付片Ｂ７２ｂ，Ｂ７２ｂは、基部Ｂ７２ａの両端部Ｂ７２１ａ，Ｂ７２１ａの両先端から外向きに延設されて前方に伸びるＬ字状になっており、前方に回動防止・位置決め用の突起Ｂ７２０ｂを有しているとともに後方にリベットＲの足部挿通用の挿通孔Ｂ７２１ｂを一対有している。刃受片Ｂ７２ｃ，Ｂ７２ｄ，Ｂ７２ｄは、中央部Ｂ７２０ａ，両端部Ｂ７２１ａ，Ｂ７２１ａの前方縁部からそれぞれ前方に延設されている。そして、刃受部Ｂ７２は、一方の取付片Ｂ７２ｂの突起Ｂ７２０ｂが鎖錠端子部６２の一方の取付片６ｃにおける前方の挿通孔６０ｃに凹凸嵌合した状態で、それら取付片Ｂ７２ｂの前方の挿通孔Ｂ７２１ｂおよび取付片６ｃの後方の挿通孔６０ｃにリベットＲを挿通してかしめ固定で機械的に接続することにより、鎖錠端子部６２と電気的に接続される。
【００４４】
刃受部Ｂ７３は、基部Ｂ７３ａと、受部Ｂ７３ｂとを一体に有する形状に形成されている。基部Ｂ７３ａは、前後方向に伸びる板状になっており、前方に挿通孔Ｂ７３０ａを有しているとともに後方にダボＢ７３１ａを一対有している。受部Ｂ７３ｂは、基部Ｂ７３ａの長手方向に沿う一方の後方縁部からダボＢ７３１ａとは逆側に所定角傾斜する傾斜部Ｂ７３０ｂと、この後方縁部から傾斜部Ｂ７３０ｂの傾斜方向とは逆向きに屈曲される屈曲部Ｂ７３１ｂと、この屈曲部Ｂ７３１ｂの両側の先端側からそれぞれ前方に屈曲され一部が湾曲して互いに近接する一対の刃受片Ｂ７３２ｂ，Ｂ７３２ｂとを一体に有する形状になっている。そして、刃受部Ｂ７３は、基部Ｂ７３ａの各ダボＢ７３１ａが鎖錠端子部６２のもう一方の取付片６ｃにおける各挿通孔６０ｃとそれぞれダボかしめ固定で機械的に接続されることにより、鎖錠端子部６２と電気的に接続される。刃受部Ｂ７４は、前方から見て、刃受部Ｂ７３とミラー対称となるように形成される。
【００４５】
上記構成の配線器具では、カバーＢ２の端子挿通孔Ｂ２０，Ｂ２０にプラグの一対の端子を挿通することにより、それらの各端子が刃受部Ｂ７２の刃受片Ｂ７２ｃ，Ｂ７２ｄ，Ｂ７２ｄと弾接するので、上記プラグの一対の端子と、収納室Ｂ１１，Ｂ１２の各電線挿入孔から挿入されて両鎖錠端子部６２，６２に接続された各電線とが電気的に接続されることになる。
【００４６】
一方、、カバーＢ２の端子挿通孔Ｂ２１，Ｂ２２，Ｂ２２に接地極付きのプラグの各端子を挿通することにより、端子挿通孔Ｂ２１に挿通された端子が刃受部Ｂ７１の刃受片Ｂ７１１ｂ，Ｂ７１１ｂと弾接するので、端子挿通孔Ｂ２１に挿通された端子と、収納室Ｂ１３の電線挿入孔から挿入されて鎖錠端子部６１に接続された電線とが電気的に接続されることになる。また、端子挿通孔Ｂ２２，Ｂ２２に挿通された両端子が刃受部Ｂ７３，Ｂ７４の各受片と弾接するので、端子挿通孔Ｂ２２，Ｂ２２に挿通された両端子と、収納室Ｂ１１，Ｂ１２の各電線挿入孔から挿入されて両鎖錠端子部６２，６２に接続された各電線とが電気的に接続されることになる。
【００４７】
以上、実施形態２によれば、鎖錠端子部６と刃受部Ｂ７とが別部品となるので、それら鎖錠端子部６とこれに接続される部材（刃受部Ｂ７）の各形状を簡易化することができ、部品加工性を向上させることができる。
【００４８】
また、刃受部Ｂ７２，Ｂ７３，Ｂ７４は、プラグの端子挿入方向が端子部６ａに対する導体線の挿入方向と逆方向になる状態で、端子部６ａの一端となる端部６１ａに延設された取付片６ｃでかしめ固定により機械的に接続されるので、刃受部を端子部の中央側となる中央部６０ａでかしめ固定により機械的に接続する場合に比べ、刃受部に対するプラグの端子の挿抜繰り返しによりかしめが緩くなることを防止することができる。
【００４９】
なお、実施形態２の変形例として、刃受部Ｂ７１についても、プラグの端子挿入方向が端子部６ａに対する導体線の挿入方向と逆方向になる状態で、端子部６ａの一端となる端部６１ａに延設された取付片６ｃでかしめ固定により機械的に接続されるようにしてもよい。また、この場合の変形例として、刃受片を、プラグの平角状の端子用ではなく、円柱状等の端子用とするべく、図９に示すように、鎖錠端子部６（６２）と刃受部Ｂ７（Ｂ７２）と組み合わせるようにしてもよい。なお、図９の例では、突起Ｂ７２０ｂと一方の挿通孔Ｂ７２１ｂとの位置が入れ替えられ、リベットＲでかしめ固定されている。
【図面の簡単な説明】
【００５０】
【図１】本発明による実施形態１の配線器具における鎖錠端子部および接点部の分解斜視図である。
【図２】同鎖錠端子部および接点部の組立斜視図である。
【図３】同鎖錠端子部および接点部を収納する配線器具の一例を示す分解斜視図である。
【図４】本発明による実施形態２の配線器具における鎖錠端子部および刃受部の分解斜視図である。
【図５】同鎖錠端子部および刃受部の分解斜視図である。
【図６】同鎖錠端子部および刃受部の組立斜視図である。
【図７】同鎖錠端子部および刃受部の組立斜視図である。
【図８】同鎖錠端子部および刃受部を収納する配線器具の一例を示す分解斜視図である。
【図９】実施形態２の変形例を示す図である。
【図１０】従来の鎖錠端子部および接点部の斜視図である。
【図１１】従来の鎖錠端子部および刃受部の斜視図である。
【図１２】従来の鎖錠端子部および刃受部の斜視図である。
【符号の説明】
【００５１】
Ａ１  ボディ
Ａ２  カバー
Ａ３  化粧プレート
Ａ４  操作部
Ａ４０  操作ハンドル
Ａ４１  反転ハンドル
Ａ４２  コイルスプリング
５  解除レバー
６  鎖錠端子部
６ａ  端子部
６ｂ  鎖錠部
Ａ７  接点部
８  開閉部材
Ｂ１  ボディ
Ｂ２  カバー
１０  プレートボディ
Ｂ４  挿入孔開閉部
Ｂ４０，Ｂ４１  扉
Ｂ４２  コイルスプリング
Ｂ７  刃受部
【図１】
2005216559.tif 000003
【図２】
2005216559.tif 000004
【図３】
2005216559.tif 000005
【図４】
2005216559.tif 000006
【図５】
2005216559.tif 000007
【図６】
2005216559.tif 000008
【図７】
2005216559.tif 000009
【図８】
2005216559.tif 000010
【図９】
2005216559.tif 000011
【図１０】
2005216559.tif 000012
【図１１】
2005216559.tif 000013
【図１２】
2005216559.tif 000014